(57)【要約】【解決すべき課題】手袋型インナーフィルムの本体部分に縫い目を一切開けずに、外側手袋部材のみならず内側手袋部材にも縫着できるようにして防水性能を飛躍的に向上させた防水手袋を提供すると共に、当該防水手袋用の手袋型インナーフィルムを提供する。【課題を解決するための手段】手袋型インナーフィルム３の各指片の少なくとも先端部付近に合成樹脂によって別途作製した任意形状の縫い代小片８の中央部分を融着して、当該縫い代小片８の両端部をインナーフィルム３の各指片の外方及び内方にそれぞれ突出させる。当該突出部９を利用して内側手袋部材１を縫着すると共に、他方の突出部９を利用して外側手袋部材２を縫着するようにした。【選択図】図１
2005307404.tif 000002
【特許請求の範囲】
【請求項１】
手の甲部及び掌部に直接接触する内側手袋部材と、この内側手袋部材の外側全体を覆う如く形成された外側手袋部材と、前記内側手袋部材と外側手袋部材の間に介装させる防水性を有する手袋型インナーフィルムとからなる三層構造の防水手袋において、前記手袋型インナーフィルムの各指片の少なくとも先端部付近に合成樹脂によって別途作製した任意形状の縫い代小片の中央部分を融着して、当該縫い代小片の両端部をインナーフィルムの各指片の外方及び内方にそれぞれ突出させ、当該内方に突出した縫い代小片において前記内側手袋部材の各指片の先端部付近を縫着すると共に、前記外方に突出した縫い代小片において外側手袋部材の各指片の先端部付近を縫着するようにしたことを特徴とする防水手袋。
【請求項２】
内側手袋部材と外側手袋部材の間に介装させる防水性を有する手袋型インナーフィルムであって、当該インナーフィルムは、手の形状より比較的大きく裁断した２枚のフィルム片を重ね合わせ、その周縁部において融着してなるものであって、当該融着に際し、各指片の少なくとも先端部付近に合成樹脂によって別途作製した任意形状の縫い代小片を両フィルム片の間に挟み込んでその中央部分において一緒に融着することにより、当該縫い代小片の両端部を手袋型インナーフィルムの各指片の外方及び内方にそれぞれ突出させるようになしたことを特徴とする防水手袋用インナーフィルム。
【発明の詳細な説明】
【技術分野】
【０００１】
本発明は内側手袋部材と外側手袋部材の間にインナーフィルムを介装させてなる防水手袋及び当該防水手袋に用いるインナーフィルムに関する。
【背景技術】
【０００２】
手袋本体に防水機能を賦与するため、内側手袋部材と外側手袋部材の間に防水性を有する手袋型インナーフィルムを介在させることが行われている。この三層構造となした防水手袋の場合、繰り返し手を出し入れしていると、内側手袋部材が外れて、手を手袋本体から抜くときに内側手袋部材が一緒に出てきてしまうという問題点がある。そのため、下記する特許文献１に開示されているように、三層構造の各パーツを接着剤を用いて点在的に接着して一体化させる試みがなされている。
【特許文献１】特開平６−２５７００５号公報
【特許文献２】実用新案登録第３０８８４６８号公報
【発明の開示】
【発明が解決しようとする課題】
【０００３】
一般に内側手袋部材と外側手袋部材の間に介在させる防水部材はポリウレタン樹脂や、ポリエチレン樹脂、ポリ塩化ビニル樹脂、ポリエチレンテレフタレート樹脂等の熱可塑性合成樹脂素材が用いられるが、これら合成樹脂素材と、内側手袋部材及び外側手袋部材との接着剤による接着性が甚だ悪く容易には完璧な接着性が得られない。
従って、上記した特許文献１等に示された接着剤による接着の方法で三層構造の各パーツを一体化させるのは困難なことである。
【０００４】
なお、接着剤の工夫によって三層構造の各パーツを一体化させ得たとしても、度重なる手の出し入れによって接着部分が疲労し、遂には剥離して手を抜くときに内側手袋部材が一緒に出てきてしまうという不具合があると共に、接着部分が硬化して手に違和感を生じるという問題点がある。さらに、透湿性フィルム仕様の場合には、接着箇所においてフィルムの透湿性が失われるという問題点もあるし、各パーツを接着剤にて接着する作業に多くの手間を要するという問題点もある。
【０００５】
そこで、上記特許文献２に示されているように、接着剤に依らずに縫着によって三層構造の各パーツを容易には脱離しないように一体化させることも行われている。しかしながら、防水機能を有する合成樹脂製の手袋型インナーフィルムであったとしても、縫合用の縫い針及び縫い糸が本体部分を貫通することによって防水性が維持されなくなるという重大な問題点がある。
【０００６】
なお、外側手袋部材と手袋型インナーフィルムの縫着に際しては、当該フィルムの周縁部に形成される縫い代部分を利用することによって、本体部分に縫い針及び縫い糸が差し込まれないようにすることができるが、手袋型インナーフィルムの内側には縫い代部分が存在しないため、両面粘着テープで留めるという方法をとらざるを得なかった。この両面粘着テープで留める方法によった場合は、多く云うまでもなく耐久性に欠け、数回の使用によって剥がれ出るという欠点がある。
【０００７】
そこで、本発明は、前記した従来型防水手袋の問題点を解消し、手袋型インナーフィルムの本体部分に縫い目を一切開けずに、外側手袋部材のみならず内側手袋部材にも縫着できるようにして防水性能を飛躍的に向上させた防水手袋を提供すると共に、当該防水手袋用の手袋型インナーフィルムを提供することを目的とするものである。
【課題を解決するための手段】
【０００８】
上記目的を達成するための本発明の構成を詳述すれば、請求項１に係る発明は、手の甲部及び掌部に直接接触する内側手袋部材と、この内側手袋部材の外側全体を覆う如く形成された外側手袋部材と、前記内側手袋部材と外側手袋部材の間に介装させる防水性を有する手袋型インナーフィルムとからなる三層構造の防水手袋において、前記手袋型インナーフィルムの各指片の少なくとも先端部付近に合成樹脂によって別途作製した任意形状の縫い代小片の中央部分を融着して、当該縫い代小片の両端部をインナーフィルムの各指片の外方及び内方にそれぞれ突出させ、当該内方に突出した縫い代小片において前記内側手袋部材の各指片の先端部付近を縫着すると共に、前記外方に突出した縫い代小片において外側手袋部材の各指片の先端部付近を縫着するようにしたことを特徴とする防水手袋である。
【０００９】
また、請求項２に係る発明は、内側手袋部材と外側手袋部材の間に介装させる防水性を有する手袋型インナーフィルムであって、当該インナーフィルムは、手の形状より比較的大きく裁断した２枚のフィルム片を重ね合わせ、その周縁部において融着してなるものであって、当該融着に際し、各指片の少なくとも先端部付近に合成樹脂によって別途作製した任意形状の縫い代小片を両フィルム片の間に挟み込んでその中央部分において一緒に融着することにより、当該縫い代小片の両端部を手袋型インナーフィルムの各指片の外方及び内方にそれぞれ突出させるようになしたことを特徴とする防水手袋用インナーフィルムである。
【００１０】
本発明によった場合は、手袋型インナーフィルムの各指片の少なくとも先端部付近に独立した縫い代小片を取付けてあるから、当該縫い代小片の突出部を利用して、外側手袋部材及び内側手袋部材に縫い糸を用いて強固に縫着することができ、従来のように使用の継続に伴って内側手袋部材が手と一緒に抜き出てくるといった問題点を解消することができると共に、手袋型インナーフィルム本体には何ら縫い目を開けずに一体化を図ることができるものであるから防水性能が飛躍的に向上するものである。
【００１１】
特に、上記特許文献２に示された防水手袋においては手袋の各指部先端において各構成素材が縫い針及び縫い糸で貫き縫合されることとなり、当該部分から水が浸入してくるという問題点があるが、本発明によればこのような懸念が一切解消される。なお、後述する実施形態においては、５本の指がそれぞれ独立した防水手袋を例示してあるが、親指収納部と、当該親指収納部を除いた４本の指が１つとなった所謂ミトン型の防水手袋についても本発明を適用することができるのは勿論であり、このようなミトン型の防水手袋であっても本発明の範囲に含まれることは云うまでもない。
【００１２】
また、本発明は主として防水手袋を提供するものではあるが、本発明に係る三層構造によった場合は、手袋型インナーフィルムの本体部分に縫い針及び縫い糸による貫通孔が全く形成されないので外側から寒風が入り込むのも防止することができるのであるから、防風ないし防寒を目的とした手袋とすることも当然可能であり、このような防風ないし防寒を目的とした手袋であっても本発明の範囲に含まれるのは勿論である。
【発明の効果】
【００１３】
上記したように本発明によれば、従来型防水手袋の諸問題点を解消することができる。特に、独立した縫い代小片を手袋型インナーフィルムに形成してあり、当該縫い代小片の突出部を利用して内側手袋部材と外側手袋部材をそれぞれ縫着することができるので、作業性が良好であると共に、剥離し難い三層構造の防水手袋を提供することができる。このように、本発明によった場合は、手袋の各指部先端において各構成素材が糸で貫き縫合されるということがないので、完璧な防水効果を得ることができる。
【００１４】
また、縫い代小片は手袋型インナーフィルムを融着する際に一緒に一体化することができるので、製造工程が煩雑となるようなことはないと共に、当該縫い代小片の突出部を利用して内側手袋部材及び外側手袋部材を確実に縫着することができ、元々薄手である手袋型インナーフィルムに縫い針及び縫合糸が差し込まれることがないので、防水手袋全体の耐久性の向上にも大きな効果がある。
【発明を実施するための最良の形態】
【００１５】
以下、本発明に係る防水手袋及び当該防水手袋用インナーフィルムの実施形態の一例を詳細に説明する。
図１は本発明防水手袋の主要な構成部材である内側手袋部材、手袋型インナーフィルム及び外側手袋部材の斜視図、図２は手袋型インナーフィルムの指先部の拡大平面図、図３は図２のＡ−Ａ線に沿った拡大断面図である。
【００１６】
図中１は手の甲部及び掌部全体に直接接触することとなる内側手袋部材であり、保温性能に優れた起毛布帛材や、ニット地、毛皮等が好適に用いられる。２はこの内側手袋部材１の外側全体を覆う如く形成された外側手袋部材であり、合成皮革、人工皮革、天然皮革、厚手の布帛、さらにはニット地等任意の素材が用いられる。
【００１７】
３は前記内側手袋部材１と外側手袋部材２の間に介装させる防水性を有する手袋型インナーフィルムであり、ポリウレタン樹脂や、ポリエチレン樹脂、ポリ塩化ビニル樹脂、ポリエチレンテレフタレート樹脂等の熱可塑性合成樹脂素材が用いられる。当該手袋型インナーフィルム３は手の形状より比較的大きく裁断した２枚のフィルム片４，４を重ね合わせ、その周縁部５付近において超音波加工ないし高周波加工等公知の方法で融着してなるものである。
【００１８】
なお、図示の実施形態においては、フィルム片４，４の外周部６より少し内側にはいった箇所を融着位置としてあり、当該融着部７から外周部６の間は、非融着部、すなわちフリーの状態となっている。
【００１９】
次に、図中８は前記手袋型インナーフィルム３を構成する２枚のフィルム片４，４の間に挟み込んでその中央部分において一緒に融着する合成樹脂製の縫い代小片であり、図示の実施形態では楕円形としてあるが、矩形状、正方形状、小判型等任意の形状とすることができるものである。なお、当該縫い代小片８の融着位置は各指片の先端部付近としてあるが、当該先端部と併せて、各指部の側面部に設けるようにしてもよいのは勿論である。
【００２０】
合成樹脂製の縫い代小片８は前記したように、手袋型インナーフィルム３を構成する２枚のフィルム片４，４の間に挟み込んで、その中央部分においてのみ一緒に熱融着するものであるから、その両端部は自由端となっており、一方の端部は手袋型インナーフィルム３の外方に突出した状態になっていると共に、他方の端部は図３に示すように、手袋型インナーフィルム３の内方に突出した状態となっている。
【００２１】
本発明防水手袋は、手袋型インナーフィルム３の各指片の外方及び内方にそれぞれ突出させた前記突出部９，９を利用して内側手袋部材１及び外側手袋部材２をそれぞれ縫着するようにしたものであり、作業手順の一例を示せば、先ず、内側手袋部材１の各指部と、手袋型インナーフィルム３の各指部とを対向位置させ、手袋型インナーフィルム３の各指片の先端部付近に取付けてある縫い代小片８の突出部９を利用してミシン掛け等の手段により内側手袋部材１と手袋型インナーフィルム３を縫着する。なお、縫着部以外の突出部９における余剰の部分は適宜鋏等を用いて切除してもよいし、そのままの状態としてもよい。
【００２２】
内側手袋部材１と手袋型インナーフィルム３の縫着が完了したら、手袋型インナーフィルム３を、内側手袋部材１の外周部に均等に被着させる。手袋型インナーフィルム３は可成り大きめに作製してあるので、内側手袋部材１に簡単に被せることができる。内側手袋部材１の外周部全体が手袋型インナーフィルム３によって覆われると、各指片の先端部付近には、縫い代小片８の他方の突出部９が現れる。
【００２３】
次に、外側手袋部材２を裏返しにしてから、前記縫い代小片８の他方の突出部９と、それぞれに対応する外側手袋部材２の各指片とを縫着する。縫着に際しては、外側手袋部材２の裏側に適宜縫い代部を形成しておくと作業が楽になるが、特に専用の縫い代部を設けなくても、厚手の外側手袋部材２、場合によっては素材を重ね合わせてあるような場合には、適宜方法にて縫着を行うことができる。
【００２４】
裏返しにした外側手袋部材２と、手袋型インナーフィルム３の所定箇所とを縫着した後、外側手袋部材２を、内側手袋部材１の外周部、すなわち手袋型インナーフィルム３の外側を覆うように、適当な工具類を用いて丁寧に元の状態に戻すことにより、本発明防水手袋が得られる。なお、手袋本体における手の挿入用開口部付近は従来と同様の方法にて縫着を行うことができる。
【００２５】
このように、本発明防水手袋によれば、手袋型インナーフィルムの本体部分に縫い目を一切開けずに各パーツの一体化を図ることが可能となり、防水性能が飛躍的に向上する。また、手袋型インナーフィルムとは独立した縫い代小片の突出部を利用して縫着するので、元々極めて薄手である手袋型インナーフィルムの耐久性向上にも大きく寄与するものである。
【図面の簡単な説明】
【００２６】
【図１】本発明防水手袋の主要な構成部材である内側手袋部材、手袋型インナーフィルム及び外側手袋部材の斜視図である。
【図２】手袋型インナーフィルムの指先部の拡大平面図である。
【図３】図２のＡ−Ａ線に沿った拡大断面図である。
【符号の説明】
【００２７】
１：内側手袋部材
２：外側手袋部材
３：手袋型インナーフィルム
４：フィルム片
５：周縁部
６：外周部
７：融着部
８：縫い代小片
９：突出部
【図１】
2005307404.tif 000003
【図２】
2005307404.tif 000004
【図３】
2005307404.tif 000005